(57)【要約】  紙袋製造機の小型上部開口折り装置、およびそのための小型上部開口折り方法が開示され、ここで、小型上部開口折り装置は、第１紙搬送ローラと、糊付けローラと、開口折り機と、開口プレス機と、第２紙搬送ローラとを備え、第１紙搬送ローラは開口折り機の小型上部開口折りローラに紙を搬送し、糊付けローラは紙を糊付けするために使用され、開口折り機は、開口折りレーキと、折りナイフ手段と、上部開口折り固定板と、上部開口折り挿入ブレードとをさらに備え、上部開口折り挿入ブレードは、紙の開口折り縁を上部開口折り固定板に挿入できるようにし、開口折りレーキは小型上部開口折りローラのカムと一緒に揺動し、折りナイフ手段および開口折りレーキは開口折り縁に対して開口折り動作を実行するために連携して動き、開口プレス機は紙の開口折り縁をしっかりとプレスし、第２紙搬送ローラは、折られた小型上部開口を有する紙を外部に搬送するために使用される。本発明は、紙および糊材料を大幅に節約でき、高い生産率を有し、したがって生産コストを削減できる。
2020536822.tif 000002
【特許請求の範囲】
【請求項１】
紙袋製造機の小型上部開口折り装置であって、第１紙搬送ローラ（３）と、糊付けローラ（４）と、開口折り機（１）と、開口プレス機（２）と、第２紙搬送ローラ（５）とを備え、前記第１紙搬送ローラ（３）は前記開口折り機（１）の小型上部開口折りローラ（１１）に紙（９）を搬送し、前記糊付けローラ（４）は前記紙（９）を糊付けするために使用され、前記開口折り機（１）は、開口折りレーキ（１２）と、折りナイフ手段（１３）と、上部開口折り固定板（１８）と、上部開口折り挿入ブレード（１７）とをさらに備え、前記開口折りレーキ（１２）および前記上部開口折り固定板（１８）はいずれも前記小型上部開口折りローラ（１１）と一緒に回転し、前記上部開口折り挿入ブレード（１７）は、前記紙（９）の開口折り縁（９２）を前記上部開口折り固定板（１８）に挿入できるようにし、前記開口折りレーキ（１２）は前記小型上部開口折りローラ（１１）のカム（１１２）に沿って揺動し、前記折りナイフ手段（１３）および前記開口折りレーキ（１２）は前記開口折り縁（９２）に対して開口折り動作を実行するために連携して動き、前記開口プレス機（２）は前記紙（９）の前記開口折り縁（９２）をしっかりとプレスし、前記第２紙搬送ローラ（５）は前記小型上部開口折りローラ（１１）と連携して回転し、前記第２紙搬送ローラ（５）は、前記折られた小型上部開口をしっかりとプレスして前記紙（９）を外部に搬送するために使用されることを特徴とする、紙袋製造機の小型上部開口折り装置。
【請求項２】
前記開口折りレーキ（１２）の下端部はスイングシート（１２１）を有し、前記スイングシート（１２１）の前記前端部にある回転ホイールは、前記開口折りレーキ（１２）が前記小型上部開口折りローラ（１１）と共に揺動するように、前記小型上部開口折りローラ（１１）上の前記カム（１１２）と共に転動することを特徴とする、請求項１に記載の紙袋製造機の小型上部開口折り装置。
【請求項３】
前記開口折り機（１）は、折りナイフ回転アーム（１５）と、折りナイフ動作スイングアーム（１４）と、折りナイフ動作カム（１６）とをさらに備え、前記折りナイフ動作スイングアーム（１４）は前記折りナイフ回転アーム（１５）上に配置されており、前記折りナイフ動作スイングアーム（１４）は前記折りナイフ動作カム（１６）と一緒に回転し、前記折りナイフ動作スイングアーム（１４）および前記上部開口折り固定板（１８）は互いに連携することを特徴とする、請求項２に記載の紙袋製造機の小型上部開口折り装置。
【請求項４】
前記開口プレス機（２）は、第１圧力ローラ（２１）と、ベルト（２２）と、圧力ローラ群（２４）と、紙支持ローラ群（２５）とを備え、前記第１圧力ローラ（２１）は前記小型上部開口折りローラ（１１）と連携して回転し、前記ベルト（２２）は前記第１圧力ローラ（２１）、前記第２紙搬送ローラ（５）、および前記圧力ローラ群（２４）の外側に掛けられ、前記紙支持ローラ群（２５）は前記圧力ローラ群（２４）と連携し、前記ベルト（２２）は前記紙支持ローラ群（２５）と前記圧力ローラ群（２４）との間を通ることを特徴とする、請求項１に記載の紙袋製造機の小型上部開口折り装置。
【請求項５】
前記開口折りレーキ（１２）の表面と前記小型上部開口折りローラ（１１）の表面との間には間隙があり、前記間隙は０．５ｍｍであることを特徴とする、請求項３に記載の紙袋製造機の小型上部開口折り装置。
【請求項６】
前記糊付けローラ（４）の糊ストリップ（４１）は台形糊ストリップであり、表面にテフロン（登録商標）テープが巻かれたニトリルゴムが前記糊ストリップ（４１）として使用されることを特徴とする、請求項１に記載の紙袋製造機の小型上部開口折り装置。
【請求項７】
前記糊ストリップ（４１）の幅は１．５ｍｍから３ｍｍであることを特徴とする、請求項６に記載の紙袋製造機の小型上部開口折り装置。
【請求項８】
耐摩耗性で耐油性のニトリルゴム材料が前記開口折りレーキ（１２）の前記接触面（１２２）に使用されることを特徴とする、請求項２に記載の紙袋製造機の小型上部開口折り装置。
【請求項９】
スポンジストリップは、前記第２紙搬送ローラ５の表面に部分的に接着されることを特徴とする、請求項１に記載の紙袋製造機の小型上部開口折り装置。
【請求項１０】
請求項１から９のいずれか一項に記載の紙袋製造機の小型上部開口折り装置のための小型上部開口折り方法であって、
ステップＩ．第１紙搬送ローラ（３）を介して前記小型上部開口折りローラ（１１）に紙（９）が搬送され、糊付けローラ（４）が前記紙（９）を糊付けする、ステップと、
ステップＩＩ．前記小型上部開口折りローラ（１１）の歯（１１１）が前記紙（９）の前記前端部の前記噛み込み縁（９１）をしっかり噛み込み、前記上部開口折り固定板（１８）が開放され、上部開口折り挿入ブレード（１７）が前記紙（９）の開口折り縁（９２）を前記上部開口折り固定板（１８）に挿入できるようにする、ステップと、
ステップＩＩＩ．前記上部開口折り固定板（１８）が閉鎖され、前記上部開口折り挿入ブレード（１７）が引き出され、開口折りレーキ（１２）が前記開口折り縁（９２）上で小型上部開口折り動作を実行するためにカム（１１２）と共に揺動する、ステップと、
ステップＩＶ．前記上部開口折り固定板（１８）が開放される、ステップと、
ステップＶ．前記紙（９）の輸送プロセス中に、前記ベルト（２２）および前記第２搬送ローラ（５）が、ステップＩＩＩで折られた前記小型上部開口の反動を防ぐために前記紙（９）の前記開口折り縁（９２）をしっかりとプレスし、前記開口折りレーキ（１２）がリセットされ、前記紙（９）の前記小型上部開口折りが完成する、ステップと、
を備えることを特徴とする、小型上部開口折り方法。
【発明の詳細な説明】
【技術分野】
【０００１】
本発明は、キャリア紙袋加工の技術分野に関し、より具体的には、紙袋製造機の小型上部開口折り装置、およびそのための小型上部開口折り方法に関する。
【背景技術】
【０００２】
現在の紙袋は、２つのタイプに分かれる。上部が折られていない開口、および通常の上部が折られた開口である。上部が折られていない開口を有する紙袋は、ジグザグ開口袋およびフラット開口袋である。このような紙袋は破れやすく、人とフラット開口との接触部に擦り傷を付けやすい。通常の上部折り開口を有する紙袋は、５０ｍｍを超える幅の上部開口を有し、紙および糊材料のコストが高くなる。通常の上部折り開口を有する紙袋では、紙搬送ローラを介して上部開口折りローラに紙が搬送された後、糊付けローラのスポンジ糊ストリップによって紙の端部に糊が転写され、次いで折りナイフ手段および上部開口折りレーキによって上部開口折り動作が実行される。紙の輸送プロセス中に、様々な圧力ローラの圧力によって上部開口と紙との接着が保証される。
【０００３】
しかし一般的な上部開口折り装置では、スポンジ糊ストリップは、２ｍｍから３ｍｍの折り開口で糊付け線を正確に搬送することができない。不完全に転写された糊付け線は、スポンジ糊ストリップ上で蓄積および固化しやすく、製品の増加と共に糊付け線が徐々に広がり、糊はプレスされると押し出され、結果として、紙袋は自由に開けられなくなるので、紙袋の小型上部開口折りは完成できない。
【発明の概要】
【０００４】
そこで、本発明は、生産コストを削減でき、生産速度が速い、紙袋製造機の小型上部開口折り装置、およびそのための小型上部開口折り方法を提供する。
【０００５】
上記の目的を達成するために、本発明は、以下の技術的解決策を提供する。
紙袋製造機の小型上部開口折り装置であって、第１紙搬送ローラと、糊付けローラと、開口折り機と、開口プレス機と、第２紙搬送ローラとを備え、第１紙搬送ローラは開口折り機の小型上部開口折りローラに紙を搬送し、糊付けローラは紙を糊付けするために使用され、開口折り機は、開口折りレーキと、折りナイフ手段と、上部開口折り固定板と、上部開口折り挿入ブレードとをさらに備え、開口折りレーキおよび上部開口折り固定板はいずれも小型上部開口折りローラ上に配置されており、上部開口折り挿入ブレードは、紙の開口折り縁を上部開口折り固定板に挿入できるようにし、開口折りレーキは小型上部開口折りローラのカムと共に揺動し、折りナイフ手段および開口折りレーキは開口折り縁に対して開口折り動作を実行するために連携して動き、開口プレス機は紙の開口折り縁をしっかりとプレスし、第２紙搬送ローラは小型上部開口折りローラと連携して回転し、第２紙搬送ローラは、折られた小型上部開口をしっかりとプレスして紙を外部に搬送するために使用される、小型上部開口折り装置。
【０００６】
さらに、開口折りレーキの下端部はスイングシートを有し、スイングシートの前端部にある回転ホイールは、開口折りレーキが小型上部開口折りローラに沿って揺動するように、小型上部開口折りローラ上のカムと共に転動する。
【０００７】
さらに、開口折り機は、折りナイフ回転アームと、折りナイフ動作スイングアームと、折りナイフ動作カムとをさらに備え、折りナイフ動作スイングアームは折りナイフ回転アーム上に配置されており、折りナイフ動作スイングアームは折りナイフ動作カムと一緒に回転し、折りナイフ動作スイングアームおよび上部開口折り固定板は互いに連携する。
【０００８】
さらに、開口プレス機は、第１圧力ローラと、ベルトと、圧力ローラ群と、紙支持ローラ群とを備え、第１圧力ローラは小型上部開口折りローラと連携して回転し、ベルトは第１圧力ローラ、第２紙搬送ローラ、および圧力ローラ群の外側に掛けられ、紙支持ローラ群は圧力ローラ群と連携し、ベルトは紙支持ローラ群と圧力ローラ群との間を通る。
【０００９】
さらに、開口折りレーキの表面と小型上部開口折りローラの表面との間には間隙があり、間隙は０．５ｍｍである。
【００１０】
さらに、糊付けローラの糊ストリップは台形糊ストリップであり、表面にテフロン（登録商標）テープが巻かれたニトリルゴムが糊ストリップとして使用される。
【００１１】
さらに、糊ストリップの幅は１．５ｍｍから３ｍｍである。
【００１２】
さらに、耐摩耗性で耐油性のニトリルゴム材料が開口折りレーキの接触面に使用される。
【００１３】
さらに、スポンジストリップは、第２紙搬送ローラの表面に部分的に接着される。
【００１４】
本発明は、上述の紙袋製造機の小型上部開口折り装置を採用する方法をさらに提供し、方法は以下のステップを備える。
ステップＩ．第１紙搬送ローラを介して小型上部開口折りローラに紙が搬送され、糊付けローラが紙を糊付けする。
ステップＩＩ．小型上部開口折りローラの歯が紙の前端部の噛み込み縁をしっかり噛み込み、上部開口折り固定板が開放され、上部開口折り挿入ブレードが紙の開口折り縁を上部開口折り固定板に挿入できるようにする。
【００１５】
ステップＩＩＩ．上部開口折り固定板が閉鎖され、上部開口折り挿入ブレードが引き出され、開口折りレーキが開口折り縁上で小型上部開口折り動作を実行するためにカムと共に揺動する。
ステップＩＶ．上部開口折り固定板が開放される。
ステップＶ．紙の輸送プロセス中に、ベルトおよび第２搬送ローラが、ステップＩＩＩで折られた小型上部開口の反動を防ぐために紙の開口折り縁をしっかりとプレスし、開口折りレーキがリセットされ、紙の小型上部開口折りが完成する。
【００１６】
上記の技術的解決策からわかるように、本発明の利点は以下の通りである。
１．通常の上部折り開口の紙袋と比較して、小型上部開口折りを実現することにより、紙および糊材料を大幅に節約でき、したがって生産コストを削減できる。
【００１７】
２．自動的に糊付け、開口折り、および貼り付けする動作、毎分８０  １５０個の小型上部開口を生産することを実現し、高い生産率を有する。
３．開口折りレーキの接触面を耐摩耗性で耐油性のニトリルゴムに変更することにより、小型上部開口折りと紙との接着を保証するために、折り開口は、開口折りレーキの表面の圧力の下でローラの表面と接触できる。
【００１８】
４．スポンジストリップは、第２紙搬送ローラの表面に部分的に接着される。折られた小型上部開口が小型上部開口折りローラと第２紙搬送ローラとの間にあるとき、上部折り開口および紙はスポンジによって再びプレスされる。第２紙搬送ローラを介して搬送プラテンに搬送されている間、小型上部開口および紙は、折られた小型上部開口がプレスプロセス中に反動しないように、糊が固化するまで紙支持コイルおよび第２圧力ローラによってしっかりとプレスされる。
【００１９】
５．表面にテフロン（登録商標）テープが巻かれたニトリルゴムが糊ストリップとして使用される。テフロン（登録商標）テープの表面は滑らかなので、糊が転写されて糊ストリップの表面の残留物が洗浄されることが保証されれば、これを前進させることができる。
【図面の簡単な説明】
【００２０】
【図１】本発明の概略構造図である。
【図２】本発明による、図１の構造の一部の概略図である。
【図３】本発明の小型上部開口折りローラの概略構造図である。
【図４】本発明による上部開口折り固定板の動作の概略構造図である。
【図５】本発明の開口折りレーキの動作の概略図である。
【図６】本発明による折りナイフ手段の概略構造図である。
【図７】本発明の紙の概略構造図である。
【発明を実施するための形態】
【００２１】
上記の目的、特徴、および利点に加えて、本発明は、別の目的、特徴、および利点を有する。以下、本発明は、図面を参照してさらに詳細に説明される。
本発明の実施形態または従来技術における技術的解決策をより明確に説明するために、実施形態または従来技術の説明で使用される図面を以下に簡単に紹介する。明らかに、以下の説明における図面は、本発明の実施形態の一部に過ぎない。当業者にとって、創造的な作業をすることなく、これらの図面に基づいて別の図面を得ることができる。
【００２２】
以下、本発明の実施形態の技術的解決策について、本発明の実施形態の図面を参照して、明確かつ完全に説明する。明らかに、記載される実施形態は、全ての実施形態ではなく、本発明の実施形態の一部に過ぎない。本発明の実施形態に基づいて、創造的な作業をすることなく当業者によって得られるその他全ての実施形態は、本発明の保護範囲に属する。
【００２３】
本明細書の図１から図７を参照する。図１に示されるように、紙袋製造機の小型上部開口折り装置は、第１紙搬送ローラ３と、糊付けローラ４と、開口折り機１と、開口プレス機２と、第２紙搬送ローラ５とを備え、第１紙搬送ローラ３は開口折り機１の小型上部開口折りローラ１１に紙９を搬送し、糊付けローラ４は紙９を糊付けするために使用される。図２に示されるように、開口折り機１は、開口折りレーキ１２と、折りナイフ手段１３と、上部開口折り固定板１８と、上部開口折り挿入ブレード１７とをさらに備える。
【００２４】
開口折りレーキ１２および上部開口折り固定板１８はいずれも、小型上部開口折りローラ１１と一緒に回転する。上部開口折り挿入ブレード１７は、紙９の開口折り縁９２を上部開口折り固定板１８に挿入できるようにし、開口折りレーキ１２は小型上部開口折りローラ１１のカム１１２と共に揺動する。図２および図６に示されるように、折りナイフ手段１３および開口折りレーキ１２は開口折り縁９２に対して開口折り動作を実行するために連携して動き、開口プレス機２は紙９の開口折り縁９２をしっかりとプレスし、第２紙搬送ローラ５は小型上部開口折りローラ１１と連携して回転し、第２紙搬送ローラ５は、折られた小型上部開口をしっかりとプレスして紙９を外部に搬送するために使用される。紙９に塗布された糊が乾燥して固化する前は、折られた小型上部開口は常にしっかりと押さえられた状態に保たれている。通常の上部折り開口の紙袋と比較して、小型上部開口折りにより、紙および糊材料を大幅に節約でき、したがって生産コストを削減できる。
【００２５】
具体的には、開口折りレーキ１２および上部開口折り固定板１８はいずれも小型上部開口折りローラ１１上に移動可能に設けられている。開口折りレーキ１２および上部開口折り固定板１８が小型上部開口折りローラ１１と共に回転するが、開口折りレーキ１２および上部開口折り固定板１８は単独でも動作する。
【００２６】
開口折りレーキ１２の下端部はスイングシート１２１を有し、スイングシート１２１の前端部にある回転ホイールは、開口折りレーキ１２が小型上部開口折りローラ１１と共に揺動するように、小型上部開口折りローラ１１上のカム１１２と共に転動する。
【００２７】
図２および図６に示されるように、開口折り機１は、折りナイフ回転アーム１５と、折りナイフ動作スイングアーム１４と、折りナイフ動作カム１６とをさらに備える。折りナイフ動作スイングアーム１４は折りナイフ回転アーム１５上に配置されている。折りナイフ動作スイングアーム１４は折りナイフ動作カム１６と共に回転する。折りナイフ動作スイングアーム１４および上部開口折り固定板１８は互いに連携する。
【００２８】
図１に示されるように、開口プレス機２は、第１圧力ローラ２１と、ベルト２２と、圧力ローラ群２４と、紙支持ローラ群２５とを備え、第１圧力ローラ２１は小型上部開口折りローラ１１と連携して回転する。ベルト２２は、第１圧力ローラ２１、第２紙搬送ローラ５、および圧力ローラ群２４の外側に掛けられ、紙支持ローラ群２５は圧力ローラ群２４と連携し、ベルト２２は紙支持ローラ群２５と圧力ローラ群２４との間を通る。ストリング２２はリング形状である。
【００２９】
紙支持ローラ群２５は、順序通りに配置された複数の紙支持ローラ２５１を含む。圧力ローラ群２４は、順序通りに配置された複数の上部圧力ローラ２４１を含む。紙支持ローラ２５１および上部圧力ローラ２４１は、１対１で対応している。上部プレスローラ２４１および紙支持ローラ２５１は、紙９の折られた小型上部開口が紙９の輸送プロセス中にしっかりとプレスされることを保証するために、連携して回転する。
【００３０】
好ましくは、上部プレスローラ２４１は４つある。
【００３１】
開口プレス機２は、ベルト２２の輸送方向を変化させるベルトホルダ２３をさらに含む。ベルトホルダ２３は、圧力ローラ群２４の上側にある。上部圧力ローラ２４１と紙支持ローラ２５１との間から運ばれてきたベルト２２は、ベルトホルダ２３上を輸送されて小型上部開口折りローラ１１と第１圧力ローラ２１との間に運ばれ、その後第２紙搬送ローラ５と小型上部開口折りローラ１１との間を輸送されてから上部圧力ローラ２４１と紙支持ローラ２５１との間に戻る。
【００３２】
第２紙搬送ローラ５の下側には、紙支持コイル５１と第２圧力ローラ５２が設けられている。折られた小型上部開口を有する紙９は、小型上部開口と紙との完全な接着をさらに保証するために、紙支持コイル５１と第２紙搬送ローラ５との間に通される。
【００３３】
糊付けローラ４の糊ストリップ４１は台形糊ストリップである。台形糊ストリップと紙９の開口折り縁９２との接触面の幅は２ｍｍである。糊ストリップ４１は、糊付けローラ４の接触面に１２ｍｍだけ接触する。ストリップ４１と糊付けローラ４との粘着がずれないことを保証するために、糊付けローラ４と小型上部開口折りローラ１１との間の圧力は、０．２ｍｍから０．５ｍｍである。比較的小さい圧力で、糊ストリップ４１の糊付け線の正確な転写を保証でき、さらに幅も保証できる。表面にテフロン（登録商標）テープが巻かれたニトリルゴムが、糊ストリップ４１として使用される。テフロン（登録商標）テープの表面は滑らかなので、糊が転写されて糊ストリップの表面の残留物が洗浄されることが保証されれば、これを前進させることができる。
【００３４】
開口折りレーキ１２の表面と小型上部開口折りローラ１１の表面との間には間隙があり、間隙は０．５ｍｍである。紙袋製造機の小型上部開口折り装置の高速運転中のタップの異常音を回避するために、柔らかい接触面１２２が採用される。したがって、紙袋製造機の小型上部開口折り装置は、高速運転時の低雑音を実現できる。
【００３５】
糊付けローラ４の糊ストリップ４１は台形糊ストリップであり、表面にテフロン（登録商標）テープが巻かれたニトリルゴムが糊ストリップ４１として使用される。
具体的には、糊ストリップ４１の幅は１．５ｍｍから３ｍｍであり、これにより、塗布後に糊ストリップがはみ出さないことを保証するが、「はみ出し」は、紙袋が自由に開く状況に影響を及ぼす。
耐摩耗性で耐油性のニトリルゴム材料が開口折りレーキ１２の接触面１２２に使用される。
【００３６】
スポンジストリップは、第２紙搬送ローラ５の表面に部分的に接着される。折られた小型上部開口が反動しないことをさらに保証するために、折られた小型上部開口が小型上部開口折りローラ１１と第２紙搬送ローラ５との間にあるとき、上部折り開口および紙はスポンジによって再びプレスされる。
【００３７】
紙袋製造機の小型上部開口折り装置は、糊付けローラ４の片側に位置する糊ディスク８をさらに含む。糊ディスク８は、折られた小型上部開口を接着するための糊ストリップ４１を提供する。
【００３８】
図５に示されるように、耐摩耗性で耐油性のニトリルゴム材料が開口折りレーキ１２の接触面１２２に使用される。開口折りレーキ１２の表面および折り小型上部ローラ１１の表面は両方とも剛性行面であるため、そして慣性のため、開口折りレーキ１２と小型上部開口折りローラ１１の表面の間には３ｍｍの間隙がなければならず、そうでなければ高速運転中にタップの異常音が発生する。間隙のため、開口折り縁９２と紙９との接着は、慣性のみに依存する。したがって、開口折りレーキ１２と上部折り開口との接触面を耐摩耗性で耐油性のニトリルゴムに変更することにより、折られた小型上部開口と紙との間の接着を保証するために、こうして折り開口はレーキの表面の圧力下でローラの表面と接触でき、同様に、新たに折られた上部小型開口が反動せずに折られた形状を維持することも保証する。
【００３９】
図８に示されるように、８ｍｍから１４ｍｍの折られた小型上部開口の幅は比較的小さく、反発力が比較的大きいため糊の接着には時間がかかるので、開口折りレーキ１２によって折られた小型夕食開口から糊へ完全に接着されていることが保証されなければならず、上部折り開口および紙９は、反動を防ぐためにベルト２２または圧力ローラで常にプレスされている。したがって、開口折りレーキ１２が開放する準備ができると、上部折り開口および紙９は、ベルト２２、第１圧力ローラ２１、および小型上部開口折りローラ１１を通じてプレスされ、スポンジストリップは第２紙搬送ローラ５の表面に部分的に接着され、紙袋のための小型上部開口を折る機能は十分に実現され得る。
【００４０】
スポンジストリップは、第２紙搬送ローラ５の表面に部分的に接着される。折られた上部開口が小型上部開口折りローラ１１と第２紙搬送ローラ５との間にあるとき、上部折り開口および紙９はスポンジによって再びプレスされる。第２紙搬送ローラ５を介して搬送プラテンに搬送している間、上部折り開口および紙９は、折られた小型上部開口が反動しないように、糊が固化するまで、紙支持コイル５１および第２圧力ローラ５２を通じてしっかりとプレスされ、さらに紙支持コイル５１および第２圧力ローラ５２を通じて固定され、こうして上部小型開口を折るという優れた効果を有する。
【００４１】
図３および図７に示されるように、小型上部開口折りローラ１１の歯１１１は紙９の前端部の噛み込み縁９１をしっかり噛み込み、紙９の端部の開口折り縁９２で開口折り動作が実行される。糊付け線９３は、開口折り縁９２の近くに位置している。噛み込み縁９１は最終的に、紙袋の底部内に加工される。
【００４２】
図４に示されるように、図中の小型上部開口折りローラ１１の領域Ａおよび領域Ｂは、それによって上部開口折り固定板１８の開閉が行われる領域である。
【００４３】
図１に示されるように、第１紙搬送ローラ３は小型上部開口折りローラ１１の片側にある。紙９は、第１紙搬送ローラ３と小型上部開口折りローラ１１との間で輸送される。小型上部開口折りローラ１１は、時計回りに回転する。第１紙搬送ローラ３は、紙９を小型上部開口折りローラ１１の表面に載せた状態で、反時計回りに回転する。糊付けローラ４は紙９を糊付けする。小型開口は、紙９の開口折り縁９２で開口折り機１によって折られる。小型開口を折った後、紙９の開口折り縁９２は、開口折り縁９２で折られた小型開口の反動を防ぐために、第１圧力ホイール２１およびベルト２２によって常にしっかりとプレスされている。紙袋製造機の小型上部開口折り装置は、８ｍｍから１４ｍｍの上部折り開口のサイズで毎分８０から１５０個の紙袋の生産を実現し、生産率が大幅に向上する。
【００４４】
紙袋製造機の小型上部開口折り装置によって作られた紙袋は小型折り開口を有するが、これにより、破れやすく人体に擦り傷を付けやすいジグザグ開口紙袋およびフラット開口紙袋の欠点を解消でき、当該技術分野の上部開口折り装置と比較して、小型上部開口折り装置は、相対的に紙および糊を節約し、高度な自動化を有する。同時に、生産率が向上しており、毎分８０  １５０個の小型上部開口を生産し、これにより、企業の効率を大幅に改善する。
【００４５】
紙袋製造機の小型上部開口折り装置の上述の小型上部開口折り方法は、以下の５つのステップを含む。
ステップＩ．第１紙搬送ローラ３を介して小型上部開口折りローラ１１に紙９が搬送され、糊付けローラ４が紙９を糊付けする。
ステップＩＩ．小型上部開口折りローラ１１の歯１１１が紙９の前端部の噛み込み縁９１をしっかり噛み込み、上部開口折り固定板１８が開放され、上部開口折り挿入ブレード１７が紙９の開口折り縁９２を上部開口折り固定板１８に挿入できるようにする。
【００４６】
ステップＩＩＩ．上部開口折り固定板１８が閉鎖され、上部開口折り挿入ブレード１７が引き出され、開口折りレーキ１２が開口折り縁９２上で小型上部開口折り動作を実行するためにカム１１２と共に揺動する。
ステップＩＶ．上部開口折り固定板１８が開放される。
ステップＶ．紙９の輸送プロセス中に、ベルト２２および第２搬送ローラ５が、ステップＩＩＩで折られた小型上部開口の反動を防ぐために紙９の開口折り縁９２をしっかりとプレスし、開口折りレーキ１２がリセットされ、紙９の小型上部開口折りが完成する。
【００４７】
ステップＶでは、スポンジストリップは第２紙搬送ローラ５の表面に部分的に接着され、これにより、紙袋のための小型上部開口を折る機能を十分に実現できる。
【００４８】
上記は、本発明の好適な実施形態に過ぎず、本発明を限定することを意図するものではない。当業者にとって、本発明は、様々な修正および変更を有し得る。本発明の精神および原理の範囲内でなされるあらゆる修正、同等の置き換え、または改善は、本発明の保護範囲に含まれるものとする。
【符号の説明】
【００４９】
開口折り機  １
小型上部開口折りローラ  １１
歯  １１１
カム  １１２
開口折りレーキ  １２
スイングシート  １２１
接触面  １２２
折りナイフ手段  １３
折りナイフ動作スイングアーム  １４
ローラ  １４１
折りナイフ回転アーム  １５
折りナイフ動作カム  １６
上部開口折り挿入ブレード  １７
上部開口折り固定板  １８
開口プレス機  ２
第１圧力ローラ  ２１
ベルト  ２２
ベルトホルダ  ２３
上部圧力ローラ群  ２４
上部圧力ローラ  ２４１
紙支持ローラ群  ２５
紙支持ローラ  ２５１
第１紙搬送ローラ  ３
糊付けローラ  ４
糊ストリップ  ４１
第２紙搬送ローラ  ５
紙支持コイル  ５１
第２圧力ローラ  ５２
糊ディスク  ８
紙  ９
噛み込み縁  ９１
開口折り縁  ９２
糊付け線  ９３
【図１】
2020536822.tif 000003
【図２】
2020536822.tif 000004
【図３】
2020536822.tif 000005
【図４】
2020536822.tif 000006
【図５】
2020536822.tif 000007
【図６】
2020536822.tif 000008
【図７】
2020536822.tif 000009
【国際調査報告】
2020536822.tif 000010
2020536822.tif 000011
2020536822.tif 000012
2020536822.tif 000013
2020536822.tif 000014